(57)【要約】【課題】藻類の増殖を抑制して、清掃作業などのメンテナンスの負担を軽減させる水槽を提供する。【解決手段】水槽は、前側板１（１１）、後側板３（１３）、左右側板２，４（１２，１４）及び底板５（１５）を備え、前側板１（１１）は、透明ガラスからなり、後側板３（１３）及び左右両側板２，４（１２，１４）は、少なくとも片面が黒色の着色ガラスからなる。【選択図】図１
2015019623.tif 000002
【特許請求の範囲】
【請求項１】
前側板、後側板、左右側板及び底板を備え、
前記前側板は、透明ガラスからなり、
前記後側板及び前記左右側板は、少なくとも片面が黒色の着色ガラスからなることを特徴とする水槽。
【請求項２】
前記後側板及び前記左右側板は、前記着色ガラスの片面のみに設けられた着色面が外面に向けられて配置されることを特徴とする請求項１に記載の水槽。
【請求項３】
前記左右側板の前面端部は、前記前側板の内面と接合されることを特徴とする請求項１または２に記載の水槽。
【請求項４】
前記後側板の左右端部には、前記左右側板と接合可能な傾斜した接合面が形成され、
前記左右側板の後側端部には、前記後側板と接合可能な傾斜した接合面が形成されることを特徴とする請求項１〜３のいずれかに記載の水槽。
【請求項５】
前記後側板の左右端部は、前記左右側板の内面と接合されることを特徴とする請求項１〜３のいずれかに記載の水槽。
【請求項６】
前記後側板及び前記左右側板が接合される接合部には、前記着色ガラスの着色面と同色の接合材が用いられることを特徴とする請求項１〜５のいずれかに記載の水槽。
【発明の詳細な説明】
【技術分野】
【０００１】
本発明は、観賞魚などの水棲生物を飼育するための水槽に関する。
【背景技術】
【０００２】
従来、観賞魚用や植物などの水棲生物を飼育する水槽としては、透明なガラス板や合成樹脂板などからなるものが一般的である（特許文献１参照）。
【０００３】
動植物を飼育する水槽内には藻類などが発生するため、藻類の増殖を抑制するための水換えや藻類を除去するための清掃などといったメンテナンスが欠かせない。
【先行技術文献】
【特許文献】
【０００４】
【特許文献１】特開２００５−２７８５６３号公報
【発明の概要】
【発明が解決しようとする課題】
【０００５】
しかしながら、水槽の水換えや清掃を頻繁に行うのは非常に手間が掛かり、水換えや清掃に代えて、藻類の除去効果を有する防藻剤や藻類の養分となる栄養塩を除去する吸着剤を使用することもできるが、防藻効果が低くて藻類の増殖抑制に対する効果が低い、継続して使用し続ける必要があるためコストが掛かるなどの問題があった。
【課題を解決するための手段】
【０００６】
本発明は、藻類の増殖を抑制して、清掃作業などのメンテナンスの負担を軽減させることのできる水槽の提供を目的とする。
【０００７】
即ち、本発明は下記［１］〜［６］に記載の構成を有する。
【０００８】
［１］  前側板、後側板、左右側板及び底板を備え、
前記前側板は、透明ガラスからなり、
前記後側板及び前記左右側板は、少なくとも片面が黒色の着色ガラスからなることを特徴とする水槽。
【０００９】
［２］  前記後側板及び前記左右側板は、前記着色ガラスの片面のみに設けられた着色面が外面に向けられて配置されることを特徴とする前項１に記載の水槽。
【００１０】
［３］  前記左右側板の前面端部は、前記前側板の内面と接合されることを特徴とする前項１または２に記載の水槽。
【００１１】
［４］  前記後側板の左右端部には、前記左右側板と接合可能な傾斜した接合面が形成され、
前記左右側板の後側端部には、前記後側板と接合可能な傾斜した接合面が形成されることを特徴とする前項１〜３のいずれかに記載の水槽。
【００１２】
［５］  前記後側板の左右端部は、前記左右側板の内面と接合されることを特徴とする前項１〜３のいずれかに記載の水槽。
【００１３】
［６］  前記後側板及び前記左右側板が接合される接合部には、前記着色ガラスの着色面と同色の接合材が用いられることを特徴とする前項１〜５のいずれかに記載の水槽。
【発明の効果】
【００１４】
上記［１］に記載の発明によれば、前側板、後側板、左右側板及び底板を備え、前側板は、透明ガラスからなり、後側板及び左右側板は、少なくとも片面が黒色の着色ガラスからなるので、少なくとも片面が黒色の着色ガラスからなる後側板及び左右側板の有する遮光効果により、背面側及び左右両側からの光が水槽内に供給され難くなり、更に、水槽内での光の反射が生じ難く水槽内部における照度が低下するため、藻類への光の供給が減少して藻類の増殖を確実に抑制することができる。
【００１５】
藻類の増殖が抑制されることにより、水槽の水換えや清掃を頻繁に行う必要がなくなるのでメンテナンスの負担が軽減される。
【００１６】
また、後側板及び左右側板に着色ガラスが用いられているので、例えば、水槽に付属した照明のコードなどが後側板から外側に配されている場合などには、前側板側からコードが見えることがなく美観を損なうことがない。
【００１７】
上記［２］に記載の発明によれば、後側板及び左右側板は、着色ガラスの片面のみに設けられた着色面が外面に向けられて配置されるので、着色ガラスの片面のみに配された着色面が水槽の内側に設けられないため、水槽の底部に敷かれた石や砂などと接触することによって着色面の着色が剥がれたり、傷がついたりするなどして見栄えが悪くなるなどの虞がない。
【００１８】
また、後側板及び左右側板は、着色ガラスの片面のみに設けられた着色面が外面に向けられて配置されるので、水槽内面がガラス面で構成されるため見栄えがよい。
【００１９】
上記［３］に記載の発明によれば、左右側板の前面端部は、前側板の内面と接合されるので、水槽の前面側の左右両端部が前側板の透明ガラスで構成されるため、見栄えがよく、水槽内の視認範囲が広くなる。
【００２０】
また、左右側板の端部が前面側に露出することがないので体裁が良い。
【００２１】
上記［４］に記載の発明によれば、後側板の左右端部には、左右側板と接合可能な傾斜した接合面が形成され、左右側板の後側端部には、後側板と接合可能な傾斜した接合面が形成されるので、左右側板及び後側板が極力連続した着色面を有するように接合することができ、接合部であっても遮光性を保持することができるので水槽内に光が供給され難い。
【００２２】
上記［５］に記載の発明によれば、後側板の左右端部は、左右側板の内面と接合されるので、後側板の左右両端部が、左右側面側に露出することがないため、美観を損なうことがなく見栄えが良い。
【００２３】
また、左右側板の後端部が、背面側へ向けられて配置されるため体裁が良い。
【００２４】
上記［６］に記載の発明によれば、後側板及び左右側板が接合される接合部には、着色ガラスの着色面と同色の接合材が用いられるので、着色ガラスと同色の接合材を付着した箇所が目立つことなく美観を損なうことがない上、接合部の無着色面（連続した着色面の途切れた透明ガラスからなる部位）を接合材で埋めることで、遮光性を保持することができる。
【図面の簡単な説明】
【００２５】
【図１】本発明に係る水槽の全体斜視図である。
【図２】本発明に係る水槽の平面図である。
【図３】本発明の別実施形態に係る水槽の平面図である。
【発明を実施するための形態】
【００２６】
以下、図面を参照して、本発明の実施形態について説明する。
【００２７】
図１は、水槽１０の全体斜視図、図２は、水槽１０の平面図、図３は、別実施形態に係る水槽１００の平面図である。
【００２８】
本発明に係る水槽１０，１００は、観賞魚などの水棲生物を飼育し、観賞するための観賞用水槽１０，１００である。
【００２９】
図１に示す水槽１０は、四周側板１，２，３，４及び底板５を有し、その上部が開口した直方体状に形成されている。
【００３０】
尚、説明の便宜上、観賞される側を前面側（前側）、その対面側を後面側（後側）、或いは背面側とし、図２によれば、紙面に向かって下側が観賞される側（前面側）とする。また、水槽１０内側の面を内面、水槽１０外側の面を外面として説明する。
【００３１】
四周側板１，２，３，４及び底板５には、板状の透明ガラス或いは着色ガラスが用いられる。
【００３２】
詳述すると、前側板１及び底板５には、透明のガラスが採用され、それ以外の側板２，３，４、即ち、後側板３及び左右側板２，４には、着色ガラスが採用される。
【００３３】
各側板１，２，３，４は、例えば、それぞれ厚さ約５ｍｍの板状に形成されている。
【００３４】
透明ガラスには、例えば、高透過ガラスやフロートガラスなど、水槽１０内部が観賞できるような透過性を有するガラスが用いられる。
【００３５】
着色ガラスは、ガラス板の一対の板面のうち片面のみに黒色の着色成分が塗布された不透明なガラスであり、従って、着色ガラスが用いられる側板２，３，４は透けて見えることがなく、観賞されるのは前側板１側のみとなる。
【００３６】
着色ガラスには、例えば、フロートガラスに黒色の着色成分が塗布されたガラスが用いられる。
【００３７】
着色ガラスの着色成分は、例えば、顔料や有機溶媒などが混合された塗料であり、着色成分を側板２，３，４の一方の面に塗布後、加熱するなどして塗膜を硬化させて着色層が形成される。
【００３８】
黒ガラスは、例えば、透明ガラスと比較すると、遮光性にも優れているため、水槽１０は、着色面２１，３１，４１が設けられた側板２，３，４からは、水槽１０外部の光が水槽１０内部に入射し難くなっている。
【００３９】
また、着色層が形成された着色面２１，３１，４１を有する黒色の着色ガラス（以降、「黒色ガラス」とも記す。）は、反射率が低いとの黒色の特性を有するものである。
【００４０】
水槽１０は、この黒色ガラスの特性を活かして、水槽１０の内部に入射された光が、黒色ガラスからなる後側板３及び左右側板２，４で反射せずに吸収されることによって、水槽１０内外における照度が低下するように構成される。
【００４１】
本発明における黒色ガラスは、例えば、１１Ｗ蛍光灯を着色ガラスに載置した状態で光照射し、距離約２０ｃｍの位置に設けられた照度計で測定した場合に、透明なガラスを基準にして透過率（光の通過量の割合を示す）が約０．０２％となるもの、且つ、距離約２０ｃｍの位置から着色ガラスに１１Ｗ蛍光灯が照射され、着色ガラスで反射した光を距離約２５ｃｍの位置に設けられた照度計で測定した場合に、透明なガラスを基準にして反射による照度低下率が約４２％〜５７％に低下するものが好適に用いられる。
【００４２】
尚、着色ガラスの色は、黒色に限定されるものではなく、濃色などであってもよく、少なくとも上述した条件を満たすものであれば、特に限定されるものではない。
【００４３】
後側板３及び左右側板２，４は、着色ガラスの片面のみに、黒色に着色された着色面２１，３１，４１が設けられ、当該着色面２１，３１，４１が外面に向けられて配置される。
【００４４】
このように、後側板３及び左右側板２，４が、着色ガラスの片面のみに設けられた着色面が外面に向けられて配置されるので、水槽１０の底部に敷かれた石や砂などと接触することによって着色面２１，３１，４１の着色が剥がれたり、傷がついたりするなどして見栄えが悪くなるなどの虞がない。また、水槽内面がガラス面で構成されるため見栄えがよい。
【００４５】
尚、上述したような効果を奏するため、後側板３及び左右両側板２，４の片面のみに着色面２１，３１，４１が設けられる場合には、着色ガラスの片面のみに配された着色面が水槽１０の内側に設けられないように、即ち、着色面が水槽１０の外面を向くように配置されて構成されることが好ましいが、剥がれ難い着色成分を使用した着色ガラスなどを使用する場合にはこの限りではない。
【００４６】
各側板１，２，３，４及び底板５を接合するためには、例えば、シリコン樹脂系接合材などの接合材６が用いられる。
【００４７】
左右側板２，４の前面端部及び底板５の前面端部は、前側板１の裏面側（水槽１０の内面）に当接されて接合される。
【００４８】
左右側板２，４の前面端部は、前側板１の内面（水槽１０の内側面）と接合されるので、水槽１０の前面側の左右両端部が前側板１の透明ガラスで構成されるため、見栄えがよく、水槽１０内の視認範囲が広くなる。
【００４９】
また、左右側板２，４の端部が前面側に露出することがないので体裁が良い。
【００５０】
後側板３の左右端部には、左右側板２，４と接合可能な傾斜した接合面３ａが形成され、左右側板２，４の後側端部には、後側板３の接合面３ａと接合可能な傾斜した接合面４ａが形成されている。
【００５１】
後側板３の左右各端部の外面側の角部は、平面視で鋭角となるよう形成されている。
【００５２】
図２の１点鎖線の円内に示す図に基づいて説明すると、例えば、後側板３の右側端部は、水槽１０の外面側となる角部がα＝４５°となるように接合面３ａが形成され、右側板４の後側端部も、水槽１０の外面側となる角部がβ＝４５°となるように接合面４ａが形成される。
【００５３】
後側板３及び右側板４の接合面３ａ，４ａを接合させると、水槽１０の内側には、後側板３及び右側板４の内面によって、平面視で直角の角部が形成される。
【００５４】
後側板３及び右側板４の外面には、後述するカット面３ｂ，４ｂからなる僅かな無着色面（連続した着色面の途切れた透明ガラスからなる部位）を除いて、着色面３１，４１が設けられるように構成される。
【００５５】
後側板３及び左側板２についても、後側板３及び右側板４を反転させた形で、同様にして接合面が形成され、互いに接合される。
【００５６】
例えば、後側板３の左側端部には、水槽１０の外面側となる角部が４５°となるように接合面が形成され、左側板２の後側端部にも、水槽１０の外面側となる角部が４５°となるように接合面が形成され、両接合面が接合される。
【００５７】
このように構成されることにより、左右側板２，４及び後側板３が極力連続した着色面を有するように接合することができ、接合部であっても遮光性を保持することができるので水槽１０内に光が供給され難い。
【００５８】
各側板１，２，３，４は、安全性を考慮して、辺を含む角部が鈍角、或いはやや丸みを帯びた形状となるように面取り加工されることが好ましい。
【００５９】
図２の１点鎖線の円内に示す図に基づいて説明すると、後側板３の上端部の２長辺は、ガラス面から前下がりに傾斜して削り取られた形状となっている。
【００６０】
また、後側板３及び右側板４の接合によって形成される水槽１０の外面コーナー部は、水槽１０の外面に現れる角部が鈍角となるように、後側板３の右側端部及び右側板４の後側端部が重なり合ってなる縦方向の辺が面取りされたカット面３ｂ，４ｂが形成される。
【００６１】
このような、面取りされたカット面は、例えば、各側板１，２，３，４の上端部の２辺の他、水槽１０の外面に露出する尖った角部などに適宜形成されるとよい。
【００６２】
各側板１，２，３，４及び底板５を接合する接合材６には、例えば、前面側に設けられた前側板１と左右側板２，４及び前側板１と底板５を接合する場合には透明の接合材６が用いられ、背面側に設けられた着色面２１，３１，４１を有する後側板３と左右側板２，４、及び後側板３と底板５を接合する場合には着色層と同色の接合材６が用いられる。
【００６３】
このように、使用するガラスによって接合材６の色を使い分けると、各側板１，２，３，４の接合部分がより目立ち難くなるため好ましい。
【００６４】
後側板３及び左右両側板２，４をそれぞれ重ね合わせた各接合部、即ち、後側板３と左側板２及び後側板３と右側板４のそれぞれの接合境界が、ちょうど着色面２１，３１，４１の形成されていない箇所となるため、水槽１０外部の光が、後側板３及び左右両側板２，４の接合境界に生じる僅かな無着色面（連続した着色面の途切れた透明ガラスからなる部位）を通って水槽１０内部に入射する虞がある。
【００６５】
そこで、後側板３及び左右両側板２，４の接合境界に生じる僅かな部位、即ち、カット面３ｂ，４ｂからなる無着色面を埋めるために、シリコン樹脂系接合材６（接合材６）が用いられる。
【００６６】
接合材６は、各ガラス板１，２，３，４，５の接合面同士の接合だけでなく、後側板３及び左右両側板２，４の接合境界に沿って、着色層がなく透過性を有する僅かな透明ガラスからなる部位を内側から埋めるように水槽１０の縦方向に付着される。
【００６７】
接合材６は、接合境界に沿って水槽１０の内側に付着されるので、水槽１０の外観の美観を保つことができる上、透明ガラスでなる僅かな部位から、水槽１０外部の光などが水槽１０内部に入射することを低減する。
【００６８】
着色ガラスと同色の接合材６を付着した箇所が目立つことなく美観を損なうことがない上、接合部の無着色面（連続した着色面の途切れた透明ガラスからなる部位）を接合材６で埋めることで遮光性を保持することができるため、後側板３及び左右側板２，４が接合される接合部には、着色ガラスの着色面２１，３１，４１と同色の接合材６、即ち、黒色の接合材６が用いられるのが好ましいが、特にこれに限定されるものではない。
【００６９】
以下では、上述した本発明の水槽１０（本発明品１０）を含む水槽に付着する藻類の量における比較実験について説明する。
【００７０】
（実験１）
まず、同条件下にある本発明品１０及び透明ガラスのみからなる水槽（比較例１）に対して、１ヵ月後の水槽に付着した藻類の量を比較した。
【００７１】
各水槽のサイズは、何れも幅４５０ｍｍ、奥行き２００ｍｍ、高さ２２０ｍｍのものを使用し、ろ材及びフィルター付きとした。
【００７２】
各水槽内に、１７Ｌの水及び供試魚としてのグッピー（各水槽に５尾ずつ）を投入して、水温を２４℃に維持するようにした。
【００７３】
尚、供試魚に与える給餌量は、各水槽とも１日に０．０５ｇであった。
【００７４】
何れの水槽にも、例えば、水槽の上部枠に横架するようにして照明が取り付けられ、一日のうち、１２時間は水槽１０の上部から光が照射され、残りの１２時間は水槽に光を照射させないようにタイマーをセットした。
【００７５】
表１には、上述した条件に加えて、照明として３２Ｗの蛍光灯が２本取り付けられている本発明品１０及び比較例１の水槽にそれぞれ付着した藻類の量の評価結果を示している。
【００７６】
【表１】
2015019623.tif 000003
【００７７】
評価結果は、上述した条件下に１ヶ月おかれた各水槽の四周側面をブラシで藻類がなくなるまで拭き取って水道水で洗い流し、水槽に付着していた藻類を含む洗い流した水と水槽壁面を拭き取ったブラシに付着した藻類とを併せて水道水で５００ｍｌに希釈した液体から１ｍｌを取り出し、血球計算盤で測定した結果である。
【００７８】
尚、測定１及び測定２とは、上述した藻類を含む同じ液体から任意の１ｍｌを別に取り出してそれぞれ測定したものである。
【００７９】
本評価結果から、後側板３及び左右両側板２，４に用いられるガラス板の色が相違している以外は、全て同一条件にあったが、本発明品１０の藻類の付着量は、比較例１と比較してそれぞれ測定１では約２２％、測定２では約４３％、平均すると約３４％少なかった。
【００８０】
（実験２）
続いて、本発明品１０及び透明ガラスのみからなる水槽（比較例２）において、実験１とは異なる光源を設けて、１ヵ月後に水槽に付着した藻類の量を比較した。
【００８１】
本実験では、水槽サイズ、水量、水温、供試魚の種類及び数、照明の点灯時間などの条件については、実験１の条件と同一とし、この条件に加えて、照明として７ＷのＬＥＤを１本取り付けた本発明品１０及び透明水槽（比較例２）にそれぞれ付着した藻類の量の評価結果を示している。
【００８２】
表２には、上述した実験２の条件において本発明品１０及び比較例２にそれぞれ付着した藻類の量の評価結果を示している。
【００８３】
【表２】
2015019623.tif 000004
【００８４】
評価結果は、上述した条件下に１ヶ月おかれた各水槽に対して、実験１と同様に希釈した液体から１ｍｌ取り出し、血球計算盤で測定した結果である。
【００８５】
実験１と同様、光源にＬＥＤが用いられている場合であっても、本発明品１０の水槽は、比較例２と比較して、藻類の付着量が平均して約５２％少なかった。
【００８６】
また実験１，２の評価結果より、光源の種類に依ることなく、後側板３及び左右側板２，４に着色ガラスを用いた水槽１０である本発明品１０によれば、付着する藻類の増殖を抑制することができる。
【００８７】
（実験３）
次に、本発明品１０及びリン吸着材が使用された透明水槽（比較例３）において、１ヵ月後に水槽に付着した藻類の量を比較した。
【００８８】
水槽サイズ、水量、水温、供試魚の種類及び数、照明の点灯時間などの条件については、実験１の条件と同一とし、照明として３２Ｗ蛍光灯が水槽上部に２本取り付けられたものとする。
【００８９】
尚、リン吸着材とは、藻類の養分であるリンを吸着させる効果を有するろ材である。
【００９０】
比較例３では、リン吸着材を使用することにより、水槽内のリンを吸着させて藻類の増殖を抑制する一方、本発明品１０に対してリン吸着材は使用しない。
【００９１】
表３には、上述した実験３の条件において本発明品１０及び比較例３にそれぞれ付着した藻類の量の評価結果を示している。
【００９２】
【表３】
2015019623.tif 000005
【００９３】
評価結果は、上述した条件下に１ヶ月おかれた各水槽に対して、実験１，２と同様に希釈した液体から１ｍｌ取り出し、血球計算盤で測定した結果である。
【００９４】
リン吸収剤を使用するか否かの条件以外は、１ヶ月間全て同一条件にあった本発明品１０及び比較例３であるが、本発明品１０に付着する藻類は、比較例３と比較して平均して約１３％減少した。
【００９５】
（実験４）
更に、本発明品１０及び防藻剤が使用された透明水槽（比較例４，５）において、１週間毎に４週に亘って水槽に付着した藻類の量を比較した。
【００９６】
本実験では、４週間続けて防藻剤を使用した透明水槽（比較例４）と、２週目で防藻剤の使用を中止した透明水槽（比較例５）と、防藻剤を使用しない本発明品１０との３つのパターンについて比較を行った。
【００９７】
水槽１０サイズ、水量、水温、供試魚の種類及び数、照明についての条件は、実験３と同一条件とする。
【００９８】
尚、防藻剤とは、殺菌効果を有する銀やアルミニウムなどを主成分とした溶液であり、藻類の増殖を防止するためのものである。
【００９９】
表４には、上述した実験４の条件において本発明品１０及び防藻水槽に付着した藻類の量の評価結果を示している。
【０１００】
【表４】
2015019623.tif 000006
【０１０１】
評価結果は、上述した条件に１ヶ月おかれた各水槽の四周側面をブラシで藻類がなくなるまで拭き取って蒸留水で洗い流し、水槽に付着していた藻類を含む洗い流した水と、水槽壁面を拭き取ったブラシに付着した藻類とを併せて蒸留水で５００ｍｌに希釈し、希釈した液体から１ｍｌを取り出して血球計算盤で測定した結果である。
【０１０２】
比較例４の水槽では藻類の増殖に対する高い抑制効果が確認できており、本発明品１０の藻類の抑制は比較例４よりは劣るが、本発明品１０の藻類の付着量は、防藻剤の使用を３週目から中止した比較例５と比較して４週間後には約５０％少なかった。
【０１０３】
また、比較例５では、防藻剤を中止した３週間目で藻類の付着量が急増しているが、元々防藻剤を使用していなかった本発明品１０ではそのような現象は発生しなかった。
【０１０４】
以下では、本発明品１０を含む水槽における照度の比較実験について説明する。
【０１０５】
（実験５）
実験５では、透明ガラスのみからなる水槽（透明水槽）、後側板３と左右側板２，４が白色の着色成分が塗布された不透明な着色ガラスからなる水槽（白色水槽）、及び本発明品１０の３種の水槽における照度について比較した。
【０１０６】
各水槽のサイズは、何れも幅４５０ｍｍ、奥行き２００ｍｍ、高さ２２０ｍｍのものを使用し、照度０ｌｘの暗室の中央の机の上に載置して比較した。
【０１０７】
実験対象は、同位置において、各水槽の上部枠に横架するようにして取り付けられた照明光源を付け替えることによって、蛍光灯、ＬＥＤの２つの照明パターンにおける各水槽の内部の照度を測定した。
【０１０８】
照度の測定には、デジタル照度計を用い、当該照度計を水槽内部に設置して測定した。
【０１０９】
また、各水槽が空の場合と、１５Ｌの水が入っている場合について照度測定を行い、水槽に水が入っている場合には、水中における照度を測定した。
【０１１０】
何れの測定においても、測定時には部屋の電気を消灯して照度測定を行った。
【０１１１】
表５には、上述した条件に設定された透明水槽、白色水槽及び本発明品１０における照度の評価結果を示している。
【０１１２】
【表５】
2015019623.tif 000007
【０１１３】
表５の評価結果は、各水槽に水がない場合の照度測定結果、及び各水槽に１５Ｌの水を入れた場合の照度測定結果である。
【０１１４】
本実験によれば、水槽内の照度計測時の何れの場合においても、後側板３と左右側板２，４が黒色の不透明な着色ガラスからなる本発明品１０が、最も照度が抑えられているという結果がわかる。
【０１１５】
本発明品１０では、外部からの光が入射し難いことに加えて、本発明品１０の上方から水槽内部に入射した光が、反射率の低い黒色ガラスからなる後側板３及び左右側板２，４によって吸収されることにより、本発明品１０の水槽内部において、本発明品１０よりも反射率の高い透明水槽及び白色水槽より低い照度を示したものと考えられる。
【０１１６】
このように、本発明品１０は、水槽内部における照度が抑えられているので、藻類が増殖するために必要な光の照射が減少するため藻類の増殖を抑制することができる。
【０１１７】
（実験６）
実験６では、透明ガラスのみからなる水槽（透明水槽）、後側板３及び左右両側板２，４に黒画用紙を貼り付けた水槽（画用紙水槽）、及び後側板３と左右側板２，４に黒色のポリ塩化ビニル（以降、「ＰＶＣ」と記す。）シートを貼り付けた水槽（ＰＶＣ水槽）、本発明品１０の４種の水槽における照度について比較した。
【０１１８】
本実験では、１５Ｌの水を入れ、フィルターをセットして水を循環させた水槽を照度０．４９ｌｘの暗室に載置し、1ヵ月後の水槽内の照度を測定したものである。
【０１１９】
測定期間内において、水槽内の水が蒸発した場合には蒸発した水量を加え、常に同じ水位が維持されるようにした。
【０１２０】
その他の条件に関しては、実験５における条件と同一である。
【０１２１】
表６には、上述した条件に設定された透明水槽、画用紙水槽、ＰＶＣ水槽及び本発明品１０における照度の評価結果を示している。
【０１２２】
【表６】
2015019623.tif 000008
【０１２３】
表６の評価結果は、水を循環させた状態の各水槽の1ヵ月後の水槽内部の照度を測定した結果である。
【０１２４】
照度測定の際、同位置で照明光源を付け替えることによって、照明なし、蛍光灯、ＬＥＤの３つの照明パターンで照度を測定した。
【０１２５】
本実験においても、後側板３及び左右両側板２，４に黒色からなる水槽（画用紙水槽、ＰＶＣ水槽、本発明品１０）の方が、やはり透明水槽よりも照度が低くなることがわかった。
【０１２６】
しかしながら、画用紙水槽では、観賞魚などを飼育するため、水槽外への水はねなどを免れることは困難であるが、水分の付着や湿気により水槽の後側板３及び左右両側板２，４を覆う黒画用紙にシワや収縮などの変形が生じ、黒画用紙の変形により生じた隙間から水槽内部へ光が照射される状態となっていた。
【０１２７】
また、ＰＶＣ水槽では、黒画用紙のような水分の付着や湿気による変形などが生じることはないが、ＰＶＣシートを水槽に貼り付ける際に使用したテープが湿気及び光により劣化して徐々に剥がれ始め、これにより生じた僅かな隙間から水槽内部へ光が入り込む状態となっていた。
【０１２８】
黒画用紙を貼り付けた水槽やＰＶＣシートを貼り付けた水槽は、家庭でも容易にできる防藻対策にはなるが、水はねや湿気により劣化した画用紙やテープなどを定期的に貼り換える必要が生じるため手間が掛かる。
【０１２９】
一方、本発明品１０である黒色の着色ガラスを用いた水槽であれば、水分の付着や湿気による変形などが生じることがなく、貼り換え作業などの手間が生じることもなく、そのままの状態で永続的に使用することができる。
【０１３０】
上述では、後側板３の左右端部の傾斜した接合面３ａが、左右側板２，４の後側端部の接合面と接合されるように説明したが、以降説明する第２実施形態では、後側板１３及び左右側板１２，１４の端部に傾斜した接合面を設けることなく後側板１３及び左右側板１２，１４が接合される。
【０１３１】
後側板１３及び左右側板１２，１４の接合部と、カット面１３ｂ，１４ｂ以外の部位については、先の実施形態と同様の構成であるため説明は省略する。
【０１３２】
図３に示すように、後側板１３の着色面１３１及び右側板１４の着色面１４１が外面側へ向けられた状態で、後側板１３の端部が、接合面１３ａとして右側板１４の内面１４ａに当接して、接合面１３ａ，１４ａ同士が接合材６により接合される。
【０１３３】
上述した先の実施例と同様、本実施例においても、美観が損なわれることがないように、美観の維持を優先して構成されており、前側板１，１１と後側板３，１３とで、左右側板２，４，１２，１４との接合の仕方が異なるように構成されている。
【０１３４】
後側板１３の左右端部の縦方向両辺、及び左右側板１２，１４の後側端部の縦方向両辺には、面取り加工が施される。
【０１３５】
この場合、先の実施例と同様にして、後側板１３と左右側板１２，１４との接合境界に沿って、後側板１３と左右側板１２，１４の接合により生じる隙間を接合材６で埋めるようにする。
【０１３６】
尚、後側板１３の左右端部の縦方向両辺、及び左右側板１２，１４の後側端部の縦方向両辺に面取り加工が施されると、同じ面取り装置が用いられた製造ラインを使用することが出来るので好ましいが、後側板１３の右側端部の内面側縦方向の辺には、カット面１３ｂが設けられないように構成されるのであってもよい。
【０１３７】
後側板１３の左右端部は、左右側板１２，１４の内面１４ａと接合されるので、後側板１３の左右両端部が、左右側面側に露出することがないため、美観を損なうことがなく見栄えが良い。
【０１３８】
また、左右側板１２，１４の後端部が、背面側へ向けられて配置されるため体裁が良い。
【０１３９】
水槽１００の背面側へ向けられる左右側板１２，１４の後端部（後側面）の無着色面に、着色面と同色である黒色の接合材６などを塗布するのであってもよい。
【０１４０】
このようにすることで、水槽１００の外面を形成する後側板１３及び左右両側板１２，１４が連続して同色の着色面を有しているように見えるので、観賞面側以外から見られる場合であっても美観を損なうことがない。
【０１４１】
上述した水槽１０，１００は、照明装置が一体に設けられた構成とするのであってもよい。
【０１４２】
例えば、光源及び点灯制御装置を水槽１０，１００の上部などに設け、別途付属のスイッチによってＬＥＤなどの光源の発光色や輝度の切り替え制御ができるように構成するのであってもよい。
【０１４３】
着色ガラスは、ガラス板の一対の板面のうち一方の面のみに着色面２１，３１，４１（１２１，１３１，１４１）が設けられているとしたが、ガラス板の一対の板面のうち、少なくとも一方の面に着色面が設けられているのであればよく、例えば、一対の板面の両面共が着色面として形成されているのであってもよいし、全ての面が着色されているものであってもよい。
【０１４４】
また、前側板１（１１）及び底板５（１５）に透明ガラスが用いられるように説明したが、観賞が可能な範囲であれば半透明のガラスが用いられるのであってもよいし、底板５（１５）については、観賞される側でなければ特にその素材について限定されるものではなく、着色ガラスなど不透明なガラスが用いられるのであってもよい。
【０１４５】
上述した水槽１０，１００は、直方体状に形成されるとしたが、これに限定されるものではなく、例えば、錐台状などに形成されるのであってもよく、少なくとも前側板、後側板、左右側板及び底板を備える形状であればよい。
【０１４６】
以上説明したように、前側板１（１１）、後側板３（１３）、左右側板２，４（１２，１４）及び底板５を備え、前側板１（１１）は、透明ガラスからなり、後側板３（１３）及び左右側板２，４（１２，１４）は、少なくとも片面が黒色の着色ガラスからなるので、少なくとも片面が黒色の着色ガラスからなる後側板３（１３）及び左右側板２，４（１２，１４）の有する遮光効果により、背面側及び左右両側からの光が水槽１０（１００）内に供給され難くなり、更に、水槽１０（１００）内での光の反射が生じ難く水槽１０（１００）内部における照度が低下するため、藻類への光の供給が減少して藻類の増殖を確実に抑制することができる。
【０１４７】
藻類の増殖が抑制されることにより、水槽１０，１００の水換えや清掃を頻繁に行う必要がなくなるのでメンテナンスの負担が軽減される。
【０１４８】
また、後側板３（１３）及び左右側板２，４（１２，１４）に着色ガラスが用いられているので、例えば、水槽１０（１００）に付属した照明のコードなどが後側板３（１３）から外側に配されている場合などには、観賞面側（前側板１（１１）側）からコードが見えることがなく美観を損なうことがない。
【０１４９】
以上説明した実施形態は、本発明の一例に過ぎず、本発明の作用効果を奏する範囲において具体的構成などを適宜変更設計できることは言うまでもない。
【符号の説明】
【０１５０】
１，１１…側板（前側板）
２，１２…側板（左側板）
３，１３…側板（後側板）
４，１４…側板（右側板）
５，１５…底板
６…接合材
２１，３１，４１，１２１，１３１，１４１…着色面
３ａ，１３ａ…接合面
４ａ，１４ａ…接合面
１０，１００…水槽
【図１】
2015019623.tif 000009
【図２】
2015019623.tif 000010
【図３】
2015019623.tif 000011